(57)【特許請求の範囲】
【請求項１】
３つ以上の収納部に収納されている連続シートのいずれかを用いて印刷を行わせるための印刷制御装置であって、
印刷対象の印刷ジョブにおいて使用可能な連続シートを判定する判定手段と、
前記判定手段による判定結果及び各収納部の連続シートの残量に基づき、前記３つ以上の収納部に収納されている連続シートの使用順序として少なくとも１番目に使用する連続シート及び２番目に使用する連続シートを決定する決定手段と、
前記決定手段で決定した使用順序に基づき、前記３つ以上の収納部の使用順序として少なくとも１番目に使用する連続シートが収納された収納部及び２番目に使用する連続シートが収納された収納部を通知する通知手段と、
を有し、
前記通知手段は、使用中の連続シートが収納された収納部を認識可能に通知し、
前記３つ以上の収納部は、前記使用中の連続シートが収納された収納部以外の収納部の連続シートの交換が可能であることを特徴とする印刷制御装置。
【請求項２】
３つ以上の収納部に収納されている連続シートのいずれかを用いて印刷を行わせるための印刷制御装置であって、
印刷対象の印刷ジョブにおいて使用可能な連続シートを判定する判定手段と、
前記判定手段による判定結果及び各収納部の連続シートの残量に基づき、前記３つ以上収納部に収納されている連続シートの使用順序を印刷の実行中に決定する決定手段と、
前記決定手段で決定した使用順序に基づき、前記３つ以上の収納部の連続シートのうち少なくとも使用中の連続シートの次に使用する連続シートが収納された収納部を、印刷の実行中に通知する通知手段と、
を有し、
前記通知手段は、使用中の連続シートが収納された収納部を認識可能に通知し、
前記３つ以上の収納部は、前記使用中の連続シートが収納された収納部以外の収納部の連続シートの交換が可能であることを特徴とする印刷制御装置。
【請求項３】
前記決定手段は、前記３つ以上の収納部に収納されている連続シートの使用順序を決定し、
前記通知手段は、前記３つ以上の収納部の連続シートの使用順序を通知することを特徴とする請求項２に記載の印刷制御装置。
【請求項４】
前記決定手段は、残量の少ない連続シートを優先的に使用するように決定することを特徴とする請求項１乃至３のいずれか１項に記載の印刷制御装置。
【請求項５】
前記決定手段は、前記３つ以上の収納部のうちいずれかの収納部の連続シートが交換された場合、前記決定手段により使用する連続シートを再決定することを特徴とする請求項１乃至４のいずれか１項に記載の印刷制御装置。
【請求項６】
前記通知手段は、前記決定手段により決定した結果を表示装置に表示させることを特徴とする請求項１乃至５のいずれか１項に記載の印刷制御装置。
【請求項７】
前記通知手段は、印刷に使用している連続シートを収納している収納部とそれ以外の収納部を区別可能に前記表示装置に表示させることを特徴とする請求項６に記載の印刷制御装置。
【請求項８】
前記通知手段は、前記３つ以上の収納部に収納されている連続シートの残量を識別可能な情報を前記表示装置に表示させることを特徴とする請求項６または７に記載の印刷制御装置。
【請求項９】
前記通知手段は、印刷待ちの印刷ジョブに基づき前記３つ以上の収納部に収納されている連続シートの使用予定の有無を示す情報を前記表示装置に表示させることを特徴とする請求項６乃至８のいずれか１項に記載の印刷制御装置。
【請求項１０】
前記通知手段は、前記３つ以上の収納部に収納されている連続シートの使用時間を特定する情報を前記表示装置に表示させることを特徴とする請求項６乃至９のいずれか１項に記載の印刷制御装置。
【請求項１１】
前記通知手段は、印刷ジョブの印刷処理の進行に伴って表示を更新することを特徴とする請求項６乃至１０のいずれか１項に記載の印刷制御装置。
【請求項１２】
前記通知手段は、印刷対象の印刷ジョブにおいて使用可能ではない連続シートは使用予定がないことを通知することを特徴とする請求項１乃至１１のいずれか１項に記載の印刷制御装置。
【請求項１３】
前記印刷対象の印刷ジョブに基づき印刷を実行する印刷部をさらに備えることを特徴とする請求項１乃至１２のいずれか１項に記載の印刷制御装置。
【請求項１４】
３つ以上の収納部に収納されている連続シートのいずれかを用いて印刷を行わせる際、印刷対象の印刷ジョブにおいて使用可能な連続シートを判定し、
前記判定の結果及び各収納部の連続シートの残量に基づき、前記３つ以上の収納部に収納されている連続シートの使用順序として少なくとも１番目に使用する連続シート及び２番目に使用する連続シートを決定し、
決定した使用順序に基づき、前記３つ以上の収納部の使用順序として少なくとも１番目に使用する連続シートが収納された収納部及び２番目に使用する連続シートが収納された収納部を通知するとともに、連続シートを使用中は、使用中の連続シートが収納された収納部を認識可能に通知し、
前記３つ以上の収納部は、前記使用中の連続シートが収納された収納部以外の収納部の連続シートの交換が可能であることを特徴とする印刷制御方法。
【請求項１５】
３つ以上の収納部に収納されている連続シートのいずれかを用いて印刷を行わせる際、印刷対象の印刷ジョブにおいて使用可能な連続シートを判定する判定し、
判定結果及び各収納部の連続シートの残量に基づき、前記３つ以上の収納部に収納されている連続シートの使用順序を印刷の実行中に決定する決定し、
決定した使用順序に基づき、使用中の連続シートが収納された収納部と、前記３つ以上の収納部の連続シートのうち少なくとも使用中の連続シートの次に使用する連続シートが収納された収納部とを、印刷の実行中に通知し、
前記３つ以上の収納部は、前記使用中の連続シートが収納された収納部以外の収納部の連続シートの交換が可能であることを特徴とする印刷制御方法。
【請求項１６】
請求項１〜１３のいずれか１項に記載の印刷制御装置の各手段または請求項１４または１５に記載の印刷制御方法をコンピュータにより実現することを特徴とするプログラム。
【発明の詳細な説明】
【技術分野】
【０００１】
本発明は、複数の収納部に収納されている記録材を用いて印刷を行うための印刷制御装置、方法及びプログラムに関する。
【背景技術】
【０００２】
従来、記録紙等の記録材を収納可能な複数の収納部を有した印刷装置において、収納部を切り替えながら各収納部に収納されている記録材を用いて印刷を実行するものが知られている。このような印刷装置では、ユーザがこれから実行させる印刷ジョブで使用する記録材の種類を確認し、事前に記録材をセットしておくようにしている。これに対し特許文献１では、印刷開始後に、使用中の用紙と同一の用紙を収納している複数の収納部の使用順序とともに現在用紙の補給が可能な収納部を示し、印刷処理を行っている最中でも用紙の補給を可能としている。
【先行技術文献】
【特許文献】
【０００３】
【特許文献１】特開２００５−１９３４８６号公報
【発明の概要】
【発明が解決しようとする課題】
【０００４】
しかしながら、特許文献１は、ある１つの印刷ジョブを実行するにあたり現在使用している用紙と同サイズの用紙が他の収納部に存在する場合に各収納部の使用順序を示すものである。従って、他の印刷ジョブで使用する用紙を収納した収納部を今後使用するか否かをユーザは判別することができない。
【０００５】
本発明は、上述の問題点に鑑みなされたもので、複数の収納部に収納されている記録材を用いて印刷を行う場合、複数の印刷ジョブにおける複数の収納部の記録材の使用予定を確認可能な印刷制御装置、方法及びプログラムを提供するものである。
【課題を解決するための手段】
【０００６】
上記課題を解決するため、本発明の印刷制御装置は、３つ以上の収納部に収納されている連続シートのいずれかを用いて印刷を行わせるための印刷制御装置であって、印刷対象の印刷ジョブにおいて使用可能な連続シートを判定する判定手段と、前記判定手段による判定結果及び各収納部の連続シートの残量に基づき、前記３つ以上の収納部に収納されている連続シートの使用順序として少なくとも１番目に使用する連続シート及び２番目に使用する連続シートを決定する決定手段と、前記決定手段で決定した使用順序に基づき、前記３つ以上の収納部の使用順序として少なくとも１番目に使用する連続シートが収納された収納部及び２番目に使用する連続シートが収納された収納部を通知する通知手段と、を有し、前記通知手段は、使用中の連続シートが収納された収納部を認識可能に通知し、前記３つ以上の収納部は、前記使用中の連続シートが収納された収納部以外の収納部の連続シートの交換が可能である。また、本発明の他の態様の印刷制御装置は、３つ以上の収納部に収納されている連続シートのいずれかを用いて印刷を行わせるための印刷制御装置であって、印刷対象の印刷ジョブにおいて使用可能な連続シートを判定する判定手段と、前記判定手段による判定結果及び各収納部の連続シートの残量に基づき、前記３つ以上収納部に収納されている連続シートの使用順序を印刷の実行中に決定する決定手段と、前記決定手段で決定した使用順序に基づき、前記３つ以上の収納部の連続シートのうち少なくとも使用中の連続シートの次に使用する連続シートが収納された収納部を、印刷の実行中に通知する通知手段と、を有し、前記通知手段は、使用中の連続シートが収納された収納部を認識可能に通知し、前記３つ以上の収納部は、前記使用中の連続シートが収納された収納部以外の収納部の連続シートの交換が可能である。
【発明の効果】
【０００７】
本発明によれば、印刷待ちの複数の印刷ジョブにおける、複数の収納部に収納されている記録材の使用予定を確認できる。
【図面の簡単な説明】
【０００８】
【図１】本発明の実施形態の一例である画像形成装置の構成を示す図である。
【図２】図１の画像形成装置の制御に関わる構成を示すブロック図である。
【図３】各シートカセットのシートの状態を示す表示画面の例を示す図である。
【図４】実施形態における処理の流れを示すフローチャートである。
【図５】実施形態における処理の流れを示すフローチャートである。
【図６】実施形態における処理の流れを示すフローチャートである。
【発明を実施するための形態】
【０００９】
以下、本発明を実施するための形態について図面を用いて説明する。なお、この実施の形態で用いる装置の各構成要素の相対配置、装置形状等は、あくまで例示であり、それらのみに限定するものではない。
【００１０】
図１は、本実施形態における印刷制御装置の一例となる画像形成装置の概略構成を示す図である。図１の画像形成装置は、外部装置から受信したデータを印刷する印刷機能のみを有したものを示すが、これに限らず、原稿上の画像を読取る読取装置をさらに備えて複写機として機能するものや他の機能を加えた複合装置としてもよい。
【００１１】
また、印刷処理を行う記録材（被記録媒体または記録シート）としてロールシートを用いたものを例に説明する。このロールシートは連続シートの例であるが、ロール状となったもの以外でもよい。また、連続シートの切断は、画像形成装置が自動的に切断するものであってもよいし、ユーザがマニュアル指示を行って切断するものであってもよい。記録材の材質も紙には限らず、印刷処理可能なものであれば種々のものを用いることができる。また、画像形成装置は、連続シートへの印刷のみではなく、所定のサイズに予めカットされたカットシートへの印刷が可能な画像形成装置としてもよい。
【００１２】
また、印刷方式は後述する画像印刷用液体インクを用いたインクジェット方式による画像の印刷には限らない。記録材に付与する記録剤として固形インクを用いてもよいし、トナーを用いた電子写真方式、昇華方式、熱転写方式、ドットインパクト方式など種々のものを採用可能である。また、複数色の記録剤を用いたカラー記録を行うものには限らず、黒色（グレーを含む）のみによるモノクロ記録を行うものとしてもよい。また、印刷は、可視画像の印刷には限らず、不可視もしくは視認が困難な画像の印刷としてもよいし、一般的な画像以外の、例えば配線パターン、部品の製造における物理的パターン、ＤＮＡの塩基配列等のプリントなど種々のものの印刷としてもよい。つまり、記録剤を記録材に付与可能なものであれば種々のタイプの記録装置に適用可能である。また、図１の画像形成装置と接続された外部装置からの指示で当該画像形成装置における印刷処理の動作を制御させる場合、この外部装置が印刷制御装置となる。
【００１３】
図１は、記録材としてロールシート（搬送方向において印刷単位（１ページ）の長さよりも長い連続した連続シート）を用いた画像形成装置の全体構成の概略を示す断面図である。画像形成装置は、以下の構成要素１０１〜１１５を含み、これらが１つの筐体内に配置される。ただし、これらの構成要素を複数の筐体に分けて構成してもよい。
【００１４】
制御ユニット１０８は、コントローラ（ＣＰＵまたはＭＰＵを含む）やユーザインターフェース情報の出力器（表示情報や音響情報などの発生器）、各種Ｉ／Ｏインターフェースを備えた制御部を内蔵し、画像形成装置全体の各種制御を司る。
【００１５】
ロールシートを収納し、そして供給するユニットとして上段シートカセット１０１ａと下段シートカセット１０１ｂの２基を備える。使用者はロールシート（以下、シート）をマガジンに装着してから画像形成装置本体に装填する。上段シートカセット１０１ａから引き出されたシートは図中ａ方向に、下段シートカセット１０１ｂから引き出されたシートは図中ｂ方向にそれぞれ搬送される。いずれのカセットからのシートも図中ｃ方向に進行して搬送ユニット１０２に到達する。搬送ユニット１０２は、複数の回転ローラ１０４を通して印刷処理中にシートを図中ｄ方向（水平方向）に搬送する。供給元のシートカセットを一方から他方に切り替える際は、既に引き出されているシートをカセット内に巻き戻し、新たに供給させるシートがセットされているカセットから新たに供給する。また、シートカセットは２基単位で増設も可能であり、増設されるシートカセットは図１で見てシートカセット１０１ａ、１０１ｂの右側に配置され、やはりａ方向、ｂ方向にシートが搬送される。各シートカセットのロールシートを交換する際には、ユーザがシートマガジンのドアをオープンさせ、ロールシートまたはロールシートを使い切っている場合にはロールの芯を抜き取り、新たなロールシートを装着させる。シートマガジンのドアがオープンされている間は、当該シートカセットからのシートの供給処理は禁止される。
【００１６】
また、各シートカセットにセットされているロールシートはセンサによってロールの直径が計測され、おおよその残量（長さ）が判定される。そして印刷処理によってロールシートが使用されるとその長さを計測し、残量を更新する。またロールシートの直径も定期的に計測され、残量は適宜補正される。なお、直径の計測に代え、半径の計測や、ロールの芯から最も外側の位置までの距離を計測するなど、種々の方法を用いてもよい。
【００１７】
搬送ユニット１０２の上方にはヘッドユニット１０５が搬送ユニット１０２と対向して配置される。ヘッドユニット１０５では複数色（本実施形態では７色）分の独立した印刷ヘッド１０６がシートの搬送方向に沿って保持されている。本例ではＣ（シアン）、Ｍ（マゼンタ）、Ｙ（イエロー）、ＬＣ（ライトシアン）、ＬＭ（ライトマゼンタ）、Ｇ（グレー）、Ｋ（ブラック）の７色に対応した７つの印刷ヘッドを有す。もちろん、これら以外の色を用いたものでもよいし、これらの全てを用いる必要もない。
【００１８】
本画像形成装置は、搬送ユニット１０２によるシートの搬送に同期させて、印刷ヘッド１０６からインクを吐出させてシート上に画像を形成する。なお、印刷ヘッド１０６はインクの吐出先が回転ローラ１０４と重ならない位置に配置される。インクはシートに直接吐出させるのに代え、中間転写体にインクを付与した後、そのインクをシートに付与することによって画像を形成させるものとしてもよい。
【００１９】
これら搬送ユニット１０２、ヘッドユニット１０５、印刷ヘッド１０６を含んで本実施形態の印刷用ユニットが構成されている。
【００２０】
インクタンク１０９は各色のインクを独立して貯蔵する。インクタンク１０９からはチューブによって各色に対応して設けられたサブタンクまでインクが供給され、サブタンクから各印刷ヘッド１０６までチューブを介してインクが供給される。印刷ヘッド１０６は、印刷時の搬送方向ｄ方向に沿って各色（本実施形態では７色）のラインヘッドが並んでいる。各色のラインヘッドは、継ぎ目無く単一のノズルチップで形成されたものであってもよいし、分割されたノズルチップが一列又は千鳥配列のように規則的に並べられたものであってもよい。本実施形態では、本装置が使用可能な最大サイズのシートの印刷領域の幅分をカバーする範囲にノズルが並んでいる所謂フルマルチヘッドとする。ノズルからインクを吐出するインクジェット方式は、発熱素子を用いた方式、ピエゾ素子を用いた方式、静電素子を用いた方式、ＭＥＭＳ素子を用いた方式等を採用することができる。印刷データに基づいて各ヘッドのノズルからインクが吐出されるが、吐出のタイミングは搬送用エンコーダ１０３の出力信号によって決定される。
【００２１】
シートに画像が形成された後、当該シートは搬送ユニット１０２から、スキャナユニット１０７まで搬送される。スキャナユニット１０７では、シート上の印刷画像や特殊パターンを光学的に読取って印刷画像に問題がないかどうかの確認や、インクの吐出状態を含む本装置の状態確認等を行う。印刷画像の確認方法としては、ヘッドの状態の確認するためのパターンを読み込むことによるインクの吐出状態を確認するものでもよいし、元画像との比較を行うことによる印刷の成否を確認するものでもよい。確認の方法は種々のものの中から適宜選択することが可能である。
【００２２】
シートはスキャナユニット１０７近傍からｅ方向に搬送され、カッタユニット１１０に導入される。カッタユニット１１０ではシートを所定の印刷単位の長さ毎に切断する。印刷する画像サイズに応じてこの所定の印刷単位の長さは異なる。例えばＬ版サイズの写真では搬送方向の長さは１３５ｍｍ、Ａ４サイズでは搬送方向の長さは２９７ｍｍとなる。カッタユニット１１０は、片面印刷の場合はページ単位でシートを切断するが、印刷ジョブの内容によってはページ単位で切断しない場合もある。また、カッタユニット１１０は両面印刷の場合、シートの第１面（先に印刷が行われる面。たとえばおもて面）はページ単位で切断せずに所定の長さ分まで画像を連続して印刷し、第２面（後に印刷が行われる面。たとえば裏面）を印刷した場合にページ単位で切断する。なお、カッタユニット１１０は、片面印刷や両面印刷の裏面印刷に際し、１枚の画像毎に切断するものに限らない。所定の長さ分搬送されるまで切断せず、所定の長さまで搬送された後で切断し、１枚（１頁）の画像毎に切り離すのは別のカッタ装置で手動操作等によって切断するものとしてもよい。またシートの幅方向に関しては、切断が必要な場合、別のカッタ装置を用いて切断することになる。
【００２３】
カッタユニット１１０から搬送されたシートは、ユニット内を図中ｆ方向に搬送され、裏面印字ユニット１１１に搬送される。裏面印字ユニット１１１は、シートの片面のみに画像を印刷する場合に、シートの裏面に所定の情報を印刷させるためのユニットである。シートの裏面に印刷する情報としては、印刷画像毎に対応した文字、記号、コード等の情報（例えば、オーダー管理用番号等）が含まれる。裏面印字ユニット１１１は、印刷ヘッド１０６が両面印刷の印刷ジョブのための画像を印刷する場合、印刷ヘッド１０６が画像を印刷する領域以外に上記のような情報を印刷する。裏面印字ユニット１１１は、記録剤の押印、熱転写、インクジェットなどの方式を採用可能である。
【００２４】
裏面印字ユニット１１１を通ったシートは、次に乾燥ユニット１１２に搬送される。乾燥ユニット１１２は、インクが付与されたシートを短時間で乾燥させるために、ユニット内を図中ｇ方向に通過するシートを温風（加温された気体（空気））で加熱するユニットである。なお、乾燥の方法は温風を用いるのに代え、冷風、ヒーターによる加温、待機させることのみによる自然乾燥、紫外光等の電磁波の照射など種々のものも採用可能である。印刷単位長さに切断されたシートは１枚ずつ乾燥ユニット１１２内を通過して、図中ｈ方向に搬送されて仕分けユニット１１４に搬送される。
【００２５】
仕分けユニット１１４は、複数のトレー（本実施形態では１８個）を保持しており、印刷単位の長さ等に応じでシートの排出先のトレーを区別する。各トレーにはトレー番号が割り当てられている。仕分けユニット１１４では、ユニット内を図中ｉ方向に通過するシートを、各トレー上に設けられたセンサでトレーの空きやシートが満載か否かなどを確認しながら印刷画像毎に設定されたトレー番号に対応するトレーに排出していく。切断されたシートの排出先となるトレーは、印刷ジョブの発行元（ホスト装置）で特定のものが指定される場合や、画像形成装置側で空いているトレーが任意に指定される場合がある。１つのトレーには予め決められた枚数まで排出可能である。この予め決められた枚数を超える印刷ジョブの場合、複数のトレーに跨って排出される。トレーに対して排出可能なシートの枚数やサイズ、種類などは、そのトレーの大きさ（タイプ）等によって異なっている。図１において縦（上下）に並んでいるトレー（以下、大トレー）群は大サイズ（Ａ４サイズ等、Ｌ版サイズより大きいもの）のシート、小サイズ（Ｌ版サイズ）の両方のシートの排出が可能である。また、横（左右）に並んでいるトレー（以下、小トレー）群は小サイズ（Ｌ版サイズ）のシートの排出が可能であるが大サイズのシートの排出はできない。そして、大トレーの方が小トレーより排出可能なシートの出力枚数が多い。
【００２６】
また、シート排出中や排出完了等の状態は、表示器を用いてユーザが識別可能にする（例えば、ＬＥＤ等を用いる）。例えば、トレーのそれぞれに互いに異なる色で発光する複数のＬＥＤを設け、点灯しているＬＥＤの色や点灯状態か点滅状態かなどによって各トレーの種々の状態をユーザに通知可能である。また、複数のトレーのそれぞれには優先順位を付すことができ、画像形成装置は、印刷ジョブを実行するにあたり、空いている（シートが存在しない）トレーを、優先順位に従って順にシートの排出先として割り当てていく。デフォルトでは、大トレーは上のトレーほど優先順位が高く、小トレーは左側ほど優先順位が高い。また大トレーより、小トレーの優先順位が高い。この優先順位はユーザがシートを取り出しやすい位置の優先順位を予め高くしておいてもよい。またユーザによる操作等で適宜変更可能なものとしてもよい。
【００２７】
シート巻取りユニット１１３は、ページ毎に切断されずにおもて面が印刷されたシートの巻取りを行う。両面印刷の際にはまずおもて面に画像形成が行われたシートを、カッタユニット１１０でページ単位では切断せず、連続したおもて面の印刷が終了した後に切断する。おもて面が印刷されたシートは、ユニット内を図中のｊ方向に通過し、シート巻取りユニット１１３が巻取る。そして、一連のページ分のおもて面の画像形成が終了して、巻き取られたシートは、先のおもて面とは反対面を印刷可能な面にして、つまり印刷ヘッド１０６に対向させる面を反転させて、再度ユニットの図中のｋ方向に搬送される。このように搬送させることで、先のおもて面とは反対の裏面の画像の印刷を行わせる。通常の片面印刷の場合は、画像が印刷されたシートは、シート巻取りユニット１１３による巻取りを行わせずに仕分けユニット１１４に搬送される。
【００２８】
このように、両面印刷の際は、シート巻取りユニット１１３を用いてシートの巻取りを行い、シートを反転させて裏面の印刷を行うため、片面印刷のときと両面印刷のときとでは仕分けユニット１１４への排出の際のシートの面が異なる。即ち、片面印刷の場合はシート巻取りユニット１１３を用いたシートの反転が行われないので、先頭ページの画像が印刷されたシートは先頭ページの画像が下を向いた状態で排出される。そして１つの印刷ジョブが複数ページあるジョブの場合、先頭ページのシートからトレーに排出され、以後後続のページへと順次排出されシートが重なっていく。このような排出をフェイスダウン排出と呼ぶ。一方、両面印刷の場合はシート巻取りユニット１１３を用いたシートの反転が行われるので、先頭ページの画像が印刷されたシートは先頭ページの画像が上を向いた状態で排出される。そして１つの印刷ジョブが複数枚のシートの出力を行うジョブの場合、最後のページを含むシートからトレーに排出され、以後若いページのシートへと順次排出されシートが重なっていき、最終的に先頭ページの画像が印刷されたシートが排出される。このような排出をフェイスアップ排出と呼ぶ。なお、片面印刷の場合と両面印刷の場合とで排出の際のシートの面を同じ（フェイスアップまたはフェイスダウンに統一）とすべく、片面印刷時と両面印刷時とで第１面の印刷順序（降順とするか昇順とするか）を変えるようにしてもよい。
【００２９】
操作ユニット１１５は、ユーザが種々の操作を行ったり、ユーザに種々の情報を通知したりするためのユニットである。例えば、ユーザに指定された画像が印刷されたシートはどこのトレーに積載されているか、あるいは当該画像が印刷中か印刷終了かなど、オーダー毎の印刷状況の確認が可能である。また、インク残量や、シートの残量等、装置の各種状態の確認、ヘッドクリーニング等の装置メンテナンスの実施の指示を行うためにユーザが操作／確認可能である。
【００３０】
図２は、図１で示した画像形成装置における制御に関わる構成を説明するためのブロック図である。画像形成装置２００は図１に示した画像形成装置である。ただし、以下の構成は一例であり、種々の変更が可能である。
【００３１】
ＣＰＵ２０１、ＲＯＭ２０２、ＲＡＭ２０３、画像処理部２０７、エンジン制御部２０８、スキャナ制御部２０９が主に制御ユニット１０８に含まれる。そして、制御ユニット１０８にＨＤＤ２０４、操作部２０６、外部Ｉ／Ｆ２０５などがシステムバス２１０を介して接続される。
【００３２】
ＣＰＵ２０１は、マイクロプロセッサ（マイクロコンピュータ）形態の中央演算処理部であり、図１の制御ユニット１０８に含まれる。ＣＰＵ２０１は、プログラムの実行やハードウェアの起動により画像形成装置２００全体の動作を制御する。ＲＯＭ２０２は、ＣＰＵ２０１が実行するためのプログラムや画像形成装置２００の各種動作に必要な固定データを格納する。ＲＡＭ２０３は、ＣＰＵ２０１のワークエリアとして用いられたり、種々の受信データの一時格納領域として用いられたり、各種設定データを記憶させたりする。ＨＤＤ２０４は、ＣＰＵ２０１が実行するためのプログラム、印刷データ、画像形成装置２００の各種動作に必要な設定情報を、内蔵するハードディスクに記憶させたり、読み出したりすることが可能である。なお、ＨＤＤ２０４に代えて、他の大容量記憶装置としてもよい。
【００３３】
操作部２０６は、ユーザが種々の操作を行うためのハードキーやタッチパネル、またユーザに種々の情報を提示（通知）するための表示部を含み、図１の操作ユニット１１５に対応するものである。またユーザへの情報の提示は音声発生器からの音響情報に基づく音響（ブザー、音声等）を出力することによっても行うこともできる。
【００３４】
画像処理部２０７は、画像形成装置２００で扱う印刷データ（例えば、ページ記述言語で表されたデータ）の画像データ（ビットマップ画像）への展開（変換）や画像処理を行う。入力された印刷データに含まれる画像データの色空間（たとえばＹＣｂＣｒ）を、標準的なＲＧＢ色空間（たとえばｓＲＧＢ）に変換する。また、画像データに対し、有効な（画像形成装置２００が印刷処理可能な）画素数への解像度変換、画像解析、画像補正等、様々な画像処理が必要に応じて施される。これらの画像処理によって得られた画像データは、ＲＡＭ２０３または、ＨＤＤ２０４に格納される。
【００３５】
エンジン制御部２０８は、ＣＰＵ２０１等から受信した制御コマンドに応じて、印刷データに基づく画像をシート上に印刷する処理の制御を行う。各色の印刷ヘッド１０６へのインク吐出指示や、記録媒体上でのドット位置（インクの着弾位置）を調整するための吐出タイミング設定、ヘッド駆動状態取得に基づく調整等を行う。印刷データに応じて印刷ヘッドの駆動制御を行い、印刷ヘッドからインクを吐出させシート上に画像を形成させる。また、シートをカセットから引き出す引き出しローラの駆動指示、引き出されたシートを搬送させる搬送ローラの駆動指示、搬送ローラの回転状況取得等を行う等、搬送ローラの制御を行い、シートを適切な速度及び経路で搬送および停止させる。
【００３６】
スキャナ制御部２０９は、ＣＰＵ２０１等から受信した制御コマンドに応じて、イメージセンサーの制御を行い、シート上の画像を読取り、赤（Ｒ）、緑（Ｇ）および青（Ｂ）色のアナログ輝度データを取得し、デジタルデータに変換する。イメージセンサーとしては、ＣＣＤイメージセンサーやＣＭＯＳイメージセンサー等を採用可能である。また、イメージセンサーはリニアイメージセンサーとしてもエリアイメージセンサーとしてもよい。また、スキャナ制御部２０９は、イメージセンサーの駆動指示、該駆動に基づくイメージセンサーの状況取得を行い、イメージセンサーから取得した輝度データを解析し、印刷ヘッド１０６からのインクの不吐やシートの切断位置の検出等を行う。スキャナ制御部２０９で画像が正しく印刷されていると判定されたシートは、シート上のインクの乾燥処理が施された後に、指定された仕分けユニットのトレーに排出される。
【００３７】
ホスト装置２１１は、上述した外部装置に対応し、本画像形成装置２００の外部に接続され、画像形成装置２００に印刷を行わせるための画像データの供給源となる装置であり、種々の印刷ジョブのオーダーを発行する。
【００３８】
ホスト装置２１１は、汎用のパーソナルコンピュータ（ＰＣ）によって実現してもよいし、他のタイプのデータ供給装置としてもよい。他のタイプのデータ供給装置としては、画像をキャプチャーして画像データを生成する画像キャプチャー装置がある。画像キャプチャー装置は、原稿上の画像を読取って画像データを生成するリーダ（スキャナ）、ネガフィルムやポジフィルムを読取って画像データを生成するフィルムスキャナなどである。また、画像キャプチャー装置の他の例として静止画を撮影してデジタル画像データを生成するデジタルカメラ、動画を撮影して動画像データを生成するデジタルビデオもある。その他、ネットワーク上にフォトストレージを設置し、ネットワーク経由でフォトストレージに記憶されている画像ファイルを取得して当該画像ファイルから生成した画像データの画像を印刷するものとしてもよい。また、画像形成装置２００に着脱可能な可搬性メモリを挿入するソケットを設け、可搬性メモリに格納された画像ファイルを読み出して画像データを生成して印刷するものとしてもよい。また、汎用的なＰＣに代え、本画像形成装置専用の端末とするなど、種々のデータ供給装置としてもよい。これらのデータ供給装置は画像形成装置の構成要素としてもよいし、画像形成装置の外部に接続した別の装置としてもよい。また、ホスト装置２１１をＰＣとした場合、ＰＣの記憶装置に、ＯＳ、画像データを生成するアプリケーションソフトウェア、画像形成装置２００用のプリンタドライバがインストールされる。プリンタドライバは、本画像形成装置２００を制御したり、アプリケーションソフトウェアから供給された画像データを画像形成装置２００が扱える形式に変換して印刷データを生成したりする。また、印刷データから画像データへの変換をホスト装置２１１側で行ってから画像形成装置２００に供給するようにしてもよい。なお、以上の処理の全てをソフトウェアで実現することは必須ではなく、一部または全部をＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）等のハードウェアによって実現するようにしてもよい。ホスト装置２１１から供給される画像データやその他のコマンド、更にステータス信号等は、外部Ｉ／Ｆ２０５を介して画像形成装置２００と送受信可能である。外部Ｉ／Ｆ２０５はローカルＩ／ＦであってもネットワークＩ／Ｆであってもよい。また、外部Ｉ／Ｆ２０５は、有線による接続であっても無線による接続であっても構わない。
【００３９】
画像形成装置２００内の上記した各構成はシステムバス２１０を介して接続され、互いに通信可能である。
【００４０】
なお、以上の例では、１つのＣＰＵ２０１が図２に示した画像形成装置２００内の全ての構成要素を制御するものとしたが、この構成以外としてもよい。即ち、各機能ブロックのいくつかが別途ＣＰＵを備え、それぞれのＣＰＵによって個別に制御するものとしてもよい。また、各機能ブロックは図２に示した構成以外の分担のさせ方により個別の処理部または制御部として適宜分割したり、いくつかを統合したりするなど、種々の形態を採用可能である。また、メモリからのデータの読み出しにはＤＭＡＣ（Ｄｉｒｅｃｔ  Ｍｅｍｏｒｙ  Ａｃｃｅｓｓ  Ｃｏｎｔｒｏｌｌｅｒ）も用いることもできる。
【００４１】
以上のような構成において、画像形成装置２００によりロールシートを用いた印刷を行わせる場合、以下の手順となる。
【００４２】
まず、画像形成装置２００が新たな印刷ジョブを受け付けると、一旦ＨＤＤ２０４に格納する。そしてＨＤＤ２０４に格納された印刷ジョブに設定されている印刷設定（使用可能なシートのサイズ及び材質、印刷モード（片面印刷、両面印刷、製本印刷等）等を確認する。そしてこの印刷設定の確認の結果、当該印刷ジョブにおける印刷順序（ページ順序）が決定される。即ち、フェイスダウン排出を行う場合、片面印刷であれば、ページの若い順に印刷が実行されるように決定する。シートの両面に印刷を行う場合（両面印刷、製本印刷）は、先頭ページとは反対面に配置されるページを、最もページ数の大きいページから順に降順でシートの第一面に、その後第２面にその反対面に配置するページを昇順で印刷するよう決定する。通常の両面印刷の場合、第１面に偶数ページを降順で連続して印刷させ、その後第２面に奇数ページを昇順で連続して印刷させるように印刷順序を決定する。また、画像形成装置２００はシートの両面への印刷を行う場合であって前後の印刷ジョブで同じシートを使用可能な場合、複数の印刷ジョブの第１面を連続して印刷させ、その後第２面への印刷を連続して印刷させる。これによりシートの反転回数を減らす。従って、印刷順序を決定する際、前後の印刷ジョブの印刷設定を確認し、その結果に従って印刷順序が決定される。このとき対象の印刷ジョブの印刷設定及び前後の印刷ジョブの印刷設定に基づきなるべく同一のシートを用いた印刷を連続して行えるよう使用すべきシートも決定する。
【００４３】
なお、複数のページ（画像）を連続して印刷する、とは単にシートの同一面に配置されるページを連続して印刷させるものであり、ページ間の隙間の有無を問うものではない。即ち、ページ間に余白を設けたものも含む。また、印刷ジョブのページ構成によっては印刷される画像が存在しないページもあり得る。
【００４４】
また、新たな印刷ジョブを受け付ける毎にＨＤＤ２０４に設けられるキューに順次印刷ジョブが登録される。そして、上記での印刷設定の確認結果に従い、キューに含まれる印刷ジョブで使用するシートのシート情報（サイズ及び材質）、シート情報に基づく使用予定のカセット、印刷ジョブのステータス（進捗やエラーの可否）がＨＤＤ２０４内で管理される。また、各ジョブの印刷の内容に基づき各印刷ジョブが開始される時刻（日時）、所要時間も算出され、これらの情報も管理される。
【００４５】
そして以上のように印刷順序が決定されると、キューの先頭の印刷ジョブから順に印刷が完了するように、印刷ジョブの印刷データが画像処理部２０７に供給される。このときシートの両面に印刷させる場合、上記のように複数の印刷ジョブの第１面に配置されるページが連続して印刷される。従って、連続して印刷させる複数の印刷ジョブのうち最後尾の印刷ジョブの印刷データから先に画像処理部２０７に供給される（フェイスダウン排出の場合）。即ち、シートの第１面に、連続して印刷される印刷ジョブの最後尾の印刷ジョブの先頭ページとは反対面に配置されるページ群のうち最後尾のページから降順で印刷が開始され、最後に先頭の印刷ジョブの、当該面に配置される先頭のページが印刷されるようにする。すると、シートの第２面では先頭の印刷ジョブの先頭ページから印刷が行われ、順次次の印刷ジョブの第２面への印刷へと移っていく。これにより結果として先頭の印刷ジョブからフェイスダウン排出が行われ、印刷が完了する。
【００４６】
画像処理部２０７が受け付けた印刷データに従って生成した印刷対象の画像データは順次ＨＤＤ２０４に格納される。そしてＨＤＤ２０４に格納された画像データは、決定した印刷順序に従って順次エンジン制御部２０８に供給される。このとき、印刷ジョブに設定されている印刷設定等の属性に基づく、シートのどちらの面に印刷するための画像データであるか（両面に印刷する場合）、ページ番号、そして印刷ジョブを特定可能な情報も画像データとともにエンジン制御部２０８に通知される。またＨＤＤ２０４に格納される画像は印刷の方法等に応じて９０度単位で回転処理が施されることもある。
【００４７】
この画像データを受け取ったエンジン制御部２０８は印刷する画像のサイズに応じたシートカセットからシートを供給させるとともにヘッドユニット１０５による印刷位置まで搬送させる。そして印刷ヘッド１０６から画像データに応じてインクを吐出させシート上に画像を形成させる。印刷済みの画像はスキャナユニット１０７により印刷の成否が判定され、正しく印刷されていると判定されれば乾燥ユニット１１２による乾燥処理が行われる。正しく印刷されていないと判定されればカッタユニット１１０によるシートの切断が行われ、仕分けユニット１１４の各トレーのうち、不良物を排出するトレー（例えば最下部にあるトレー）に排出させる。そして正しく印刷されたかった分は再印刷を行わせるべくエンジン制御部２０８への画像データの再供給を行い、上記処理を繰り返す。シートの両面に印刷させる場合は表裏の画像の両方が正しく印刷されている場合以外は再印刷を行わせる。
【００４８】
また、エンジン制御部２０８による印刷を実行している印刷ジョブが片面印刷であった場合、画像が印刷されたシートはページ単位でカッタユニット１１０による切断を行わせる。そして切断されたシートは仕分けユニット１１４の指定されたトレーに排出される。一方、シートの両面に印刷させる印刷ジョブであり、第１面への印刷を複数ページ連続させる場合、第１面への印刷を行ってもページ単位ではカッタユニット１１０による切断を行わせず、最後尾のページを印刷させた後に切断させる。第１面に画像が印刷されたシートはシート巻取りユニット１１３に供給され、第２面への印刷を行う際、シート巻取りユニット１１３を逆回転させ、切断面からヘッドユニット１０５の方にシートを供給させる。そして第２面への印刷が行われるとページ単位でカッタユニット１１０による切断を行わせる（印刷設定によってはページ単位で切断されないこともある）。そして印刷及び切断済みのシートは仕分けユニット１１４の指定されたトレーに排出される。また、裏面印字ユニット１１１による情報の印字を行うよう設定されている場合、シートが切断された後、裏面印字ユニット１１１による印字も行われる。
【００４９】
以上のようにして一連の印刷処理が順次行われ、印刷処理の進行とともにキューで管理している印刷ジョブの情報も更新される。
【００５０】
次に各シートカセットのシートの状態をユーザに提示すべく表示する方法について説明する。図３は各シートカセットのシートの状態及び印刷ジョブの処理予定を示す操作ユニット１１５（操作部２０６）の表示画面の一例である。ここではシートカセットが２基増設され、画像形成装置２００に４つのシートカセットが存在する例を示す。
【００５１】
図３において、３０１はシートカセットのシートの状態を表示する表示領域を示す。３０１に表示されるシートカセットの数は画像形成装置２００に存在するシートカセットの数に応じて変更するものであってもよいし、シートカセットの数は固定とし、存在するシートカセットの存在を示す表示を行うものとしてもよい。
【００５２】
３０２はシートカセット１０１ａのシート、３０３はシートカセット１０１ｂのシート、３０４は増設された上段のシートカセットのシート、３０５は増設された下段のシートカセットのシートの状態をそれぞれ示す。各シートカセットの図の配置は図１で示した向きで見たシートカセットの配置、即ち操作ユニット１１５の表示画面側からシートカセットの配置と一致している。従って、ユーザは直感的にどのシートの状態を示しているかが容易に把握可能となっている。
【００５３】
図３に示すように、各シートカセットと対応付けてそれぞれにセットされているシートの使用順序が表示される。現在使用中、または１番目に使用される予定のシートがセットされているシートカセットに「１番目」の文字列が表示され、以下、２番目以降に使用される予定のものに「Ｘ番目（Ｘは使用順を示す自然数）」の文字列が表示される。使用予定のないものにはＸ番目の表示はなされない。この使用順はキューで管理している印刷ジョブの情報に基づき決定する。この使用順は各印刷ジョブで使用するシートの長さと、各シートカセットのシートの残量とに応じて精度良く決定するようにしてもよいし、使用予定のシートの長さはシートの残量は考慮せず、使用する可能性のあるシートに従って決定するようにしてもよい。従って、特に後者の場合、実際の印刷を行った結果、使用しなかったシートカセットのシートも存在し得て、その場合、動的に印刷順序は更新する。
【００５４】
また図中、“■”で示すのはシートのおおよその残量の目安とする情報であり、“■”の数が多いほど残量が多いことを示す。ここでは３段階表示としたが、何段階で示すかは適宜変更可能としてもよい。印刷処理等によるシートの使用やシートの交換等に応じて適宜残量表示が変更される。シートがない場合には“■”は１つも表示されない。なお、以上は残量表示の一例であり、「多い」、「少ない」などの文字列や具体的な長さ（○○メートル）など種々の表示方法を採用可能である。
【００５５】
そして、各シートカセットのシートの使用状況として、「使用中」、「待機中」、「不使用」、「交換中」、「不明」、「準備中」などが表示される。「使用中」は現在印刷処理で使用していることを指す。シートの両面に印刷するために既にシートが切断され、シート巻取りユニット１１３によって巻き取られている状態及びそれ以降の処理を行っているものも「使用中」とする。「待機中」は使用予定があり、まだ使用開始はされていないことを指す。「不使用」は使用予定がないことを指す。「交換中」はシートマガジンのドアがオープンされ、シートの交換のための作業がなされていることを指す。「不明」はシートに関する情報が不明であることを指す。シートが装填されていない場合もここでは「不明」と表示するものとするが、「シートなし」等としてもよい。「準備中」はシートはセットされているが、まだ初期化処理などを行っており印刷処理を開始できない状態を指す。
【００５６】
３０６は各シート（シートカセット）を使用する時間の予定を示す。即ち、ここではシートの使用順序として３番目まで存在するため、１番目から３番目までが表示され、それぞれの使用期間と所要時間とが表示される。１番目のシートは既に印刷処理が開始され、使用中であるため開始時間が表示されない。これらはキューで管理されている印刷ジョブの情報、現在時刻などに基づき算出される。そして、印刷処理の進行に伴ってこの表示は順次更新される。
【００５７】
また、図３では示さなかったが、各シートカセットのシートの状態表示では、シートサイズ（シート幅）、シート種（材質）なども併せて表示する。また、さらにキューで管理されている印刷ジョブ群のリストも表示する。このとき、印刷ジョブ毎にジョブＩＤ、使用するシートの情報（サイズ、材質）、使用するシートカセット、印刷データのファイル名、印刷開始予定時刻、印刷終了予定時刻、所要時間、ステータス（待機中、画像処理中、印刷処理中など）を併せて表示する。
【００５８】
次にユーザがシートカセットのシートの交換を行う際の処理の流れについて説明する。図４はこの処理の流れを示すフローチャートである。このフローチャートはＣＰＵ２０１が、ＲＯＭ２０２またはＨＤＤ２０４に格納されている制御プログラムをＲＡＭ２０３にロードし、それを実行することにより行われる処理の流れを示す。
【００５９】
Ｓ４０１において、画像形成装置２００のシートカセットのいずれかのシートマガジンのドアがオープンされたことをＣＰＵ２０１が検出すると、Ｓ４０２に進む。画像形成装置２００では印刷で使用中のシートを収納しているシートカセット以外のシートカセットは交換作業が可能である。印刷で使用中のシートを収納しているシートカセットのシートマガジンのドアはロックされており、ユーザにより印刷を停止させるまでそのロックは解除されない。
【００６０】
Ｓ４０２では、操作部２０６の図３の表示画面における、ドアがオープンされたシートマガジンに対応するシートの使用状況の表示が「交換中」に変更される。Ｓ４０３では、ユーザによるシートの交換作業が行いやすいように交換処理が行われる。交換処理としてはシートマガジンを取り出しやすいように自動移動する処理などがある。ユーザはシートマガジンを取り出し、このシートマガジンに新たにシートを装填し、それをシートカセットにセットする。
【００６１】
そしてＳ４０４において当該シートマガジンがシートカセットにセットされドアが閉められたと判断されるとＳ４０５に進む。本実施形態ではドアが閉められたことを検知することによりユーザによるシート交換作業が終了したと判断する。シート交換作業が終了したと判断すると、シートの空回転によるシートの使用可否、シート残量、シート幅のチェック等が行われる。Ｓ４０５ではＣＰＵ２０１が交換されたシートのシート情報（シートサイズ、シート種など）を確認する。ここではシートにプリントされているシート情報を不図示のイメージセンサーにより読み取って得た結果をＣＰＵ２０１が取得したり、ユーザにより操作部２０６から入力された情報をＣＰＵ２０１が取得したりすることによりシート情報を確認する。シート情報の確認方法としてはこれら以外、種々のものを採用可能である。
【００６２】
Ｓ４０６では、Ｓ４０５においてシート情報が取得できたか判断する。ここでシート情報が取得できなかった場合とは、例えばシートにプリントされているシート情報を正しく読み取れなかった場合や、ユーザにより操作部２０６で適切にシート情報が入力されなかった場合などがある。ここでシート情報が取得できたと判断された場合はＳ４０７に進み、取得できなかったと判断された場合はＳ４１１に進む。
【００６３】
Ｓ４０７では、取得されたシート情報に基づき、今回セットされたシートが現在画像形成装置２００により印刷中、または既に画像形成装置２００が受け付けている印刷待ちの印刷ジョブで使用可能なシートであるか判断する。ここでは上述のようにキューで管理されている印刷ジョブの情報に従って判断される。ここで印刷中または印刷待ちの印刷ジョブで使用可能なシートであると判断された場合はＳ４０８に進み、いずれでも使用可能ではないと判断がされた場合はＳ４１０に進む。なお、印刷ジョブで使用可能なシートは、印刷ジョブによって指定されているシートの情報が各シートカセットにセットされているシート情報と一致するもの以外も含むようにしてもよい。即ち、印刷ジョブで指定されているシートの幅よりも幅の大きいシートは印刷が行われた後にシートを切断させればよいので、このようなシートも使用可能なシートに含ませるようにしてもよい。このように印刷ジョブで指定されているシートの幅より大きい幅のシートを使用可能なシートに含ませるかどうかは操作部２０６等からの指示によりＲＡＭ２０３等に登録しておくものとする。ＣＰＵ２０１は印刷ジョブで指定されているシートの幅より大きい幅のシートを使用可能なシートに含ませるよう登録されていた場合、使用可能なシートにこれを加えてシートの使用順を判断する。
【００６４】
Ｓ４０８では、ＲＡＭ２０３またはＨＤＤ２０４に記憶されている画像形成装置２００の動作に関わる設定情報を参照し、シート交換時にシートの使用順の見直しを行う設定がＯＮになっているか判断する。この設定は、シートが新たにセットされた場合に、既に決定されている各シートの使用順を初期化し、新たにセットされたシートを含めて使用順の見直しを行うかどうかを示すものである。ＯＮになっている場合はＳ４０９において使用順の見直しを行い、ＯＦＦになっている場合は見直しを行わずに本フローを抜ける。この設定は操作部２０６またはホスト装置２１１からの操作によりＯＮ／ＯＦＦを切り替え可能であり、切り替え結果はＲＡＭ２０３またはＨＤＤ２０４に記憶される。使用順の見直しを行わない場合は、シート交換前の使用順のままとする（シートの使用状況は「交換中」から「待機中」に変更する）。ただし、今回セットされたシートのシート情報と交換前にセットされていたシートのシート情報とが異なっていた場合、交換前の当該シートの使用順は無効とする（シートの使用状況は「不使用」にする）。そしてこのシートの使用順より後の使用順になっていたシートがあればその使用順を繰り上げる。また交換前の当該シートの使用状況が「不使用」や「不明」であった場合、シート交換後は「不使用」とする。
【００６５】
Ｓ４０９では、シートが新たにセットされた場合に、既に決定されている各シートの使用順を初期化し、新たにセットされたシートを含めて使用順の見直しを行い、各シートの使用する順番を決定する。ここでの処理の詳細は後述する。
【００６６】
Ｓ４１０では、今回セットされたシートの使用予定がないので、ＣＰＵ２０１は当該シートの使用状況を「交換中」から「不使用」に変更する。このとき、交換前のシートに使用順が設定されており、その使用順より後の使用順になっていたシートがあった場合、使用順を繰り上げる。
【００６７】
Ｓ４１１では、今回セットされたシートのシート情報が不明なので、ＣＰＵ２０１は当該シートの使用状況を「交換中」から「不明」に変更する。このとき、交換前のシートに使用順が設定されていた場合、その使用順より後の使用順になっていたシートがあれば使用順を繰り上げる。
【００６８】
次にＳ４０９における処理の詳細について説明する。図５はこの処理の流れを示すフローチャートである。
【００６９】
Ｓ５０１では、ＣＰＵ２０１は上述のキューで管理されている現在画像形成装置２００によって印刷中の印刷ジョブで使用中のシートのシート情報を取得する。そしてＳ５０２において印刷中の印刷ジョブで使用中のシートの状態を表示する。ここでは図３の３０２で示されるように、使用順は「１番目」、シート残量は現段階で識別したもの、状態は「使用中」となる。なお、現在画像形成装置２００が印刷停止状態であればＳ５０１、５０２の処理はスキップされる。
【００７０】
そして、Ｓ５０３では、現在画像形成装置２００が印刷中であれば当該印刷により使用中のシートと同じシートが現在使用中のシートを収納しているシートカセット以外にセットされているか確認する。また、印刷待ちの印刷ジョブで使用予定のシートが各シートカセットのいずれかにセットされているか確認する。
【００７１】
Ｓ５０４において、Ｓ５０３の確認の結果、該当するシートが見つかったと判断された場合、Ｓ５０５に進み、見つかったシートのそれぞれの残量を確認する。そしてＳ５０６において各シートの使用順を、各シートを使用する印刷ジョブの印刷順に従って並び変えるとともに、同じ種類のシートはシートの残量が少ない順に使用されるように順位付けする。ここでシートの残量が少ないものから先に使用するようにするのは、残量が少ない方を先に使い切ることで、同じ種類のシートの交換時期が近くなってしまうのを防ぐためである。即ち、残量の少ないシートを使い切った後、残量が多かった方のシートを使用している間に使い切った方のシートを収納していたシートカセットに新たなシートをセットできる。なお、Ｓ５０５の確認の結果、該当するシートの残量が同じ程度であった場合は、予め決められた優先順位に従って各シートの使用順を決定する（例えば、よりシートの搬送距離が短くなるものを優先する）。また同一のシートが連続して使用することを優先させればシートカセットの切り替えの回数を減らし印刷処理の効率を向上させることができる。ここで使用候補として同じ種類のものが複数ある場合、より残量が少ない方を優先的に使用するという考え方はシート以外の消耗品にも適用可能である。例えば、複数のインクタンク１０９のうちのいくつかに同一の種類のインクを収納しておくことが可能であり、いずれのインクタンクからもインクを印刷ヘッド１０６に供給可能である場合、より残量の少ない方のインクタンクから供給させることが可能である。これにより、特定のインクタンクのインクを使い切るようにし、上述したシートの場合と同様に交換時期をずらすことが可能である。
【００７２】
Ｓ５０７では、確認した各シートの残量、そして印刷中、印刷待ちの印刷ジョブの内容に基づき各シートの印刷所要時間を計算する。このとき各シートはどのシートカセットにセットされているかによりシート搬送距離も異なるので、印刷所要時間はこの搬送距離も考慮して計算する。そして、Ｓ５０８において以上の処理で特定した各シートの状態と印刷所要時間とを図３のように操作部２０６に表示させる。また、以上の処理により使用予定がないと判断されたシートについてはＳ５０９において使用状況の表示を「不使用」とし、さらに現段階で識別したシート残量の表示を行う。
【００７３】
なお、以上の各シートの使用順の決定のための処理及びその結果の表示の処理は、図４のＳ４０９のタイミングでの実行だけではなく、画像形成装置２００が新たに印刷ジョブを受け付け、印刷処理を開始した後を含め種々のタイミングでも実行される。そして、印刷処理の進行に伴い、シートの状態等の情報は順次更新され、それに伴い表示内容も更新される。
【００７４】
即ち、ＣＰＵ２０１は画像形成装置２００にセットされている複数のカセットについて順次シートの状態を示す情報を取得し、各シートの状態の変化に応じて表示内容を変更させる。この各シートの状態の確認は画像形成装置２００のエンジン制御部２０８が稼働している間、常に行われる。
【００７５】
図６は画像形成装置２００にセットされている複数のシートカセットのシートの状態を判断する処理の流れを示すフローチャートである。このフローチャートはＣＰＵ２０１が、ＲＯＭ２０２またはＨＤＤ２０４に格納されている制御プログラムをＲＡＭ２０３にロードし、それを実行することにより行われる処理の流れを示す。
【００７６】
まずＳ６０１において、画像形成装置２００に装備されているシートカセットの数を特定する。ここでは、シートカセット１０１ａ、１０１ｂに加えて増設された２つのシートカセットの合計４つであることをＣＰＵ２０１がエンジン制御部２０８に問合せて、その結果を取得することにより特定する。ここで特定されたシートカセットの数はＲＡＭ２０３またはＨＤＤ２０４に記憶される。
【００７７】
次にＣＰＵ２０１はチェック対象のシートカセットを特定するＮの値を１とする。ここでＮ＝１をシートカセット１０１ａ、Ｎ＝２を１０１ｂ、Ｎ＝３を増設されたシートカセットの上段、Ｎ＝４を増設されたシートカセットの下段とする。これらのＮの値は各シートカセットの使用順の優先順位に対応している。
【００７８】
Ｓ６０３ではＮ番目のシートカセットの状態を取得する。ここで取得するのは該当するシートカセットにシートがセットされているか否か、セットされていればそのシートのサイズ、種類、残量などの情報である。
【００７９】
６０４では、Ｓ６０３で取得したシートカセットの状態に従って図３に示すようにシートの状態を、操作部２０６に表示させる。
【００８０】
Ｓ６０５ではＮの値が、Ｓ６０１で記憶した画像形成装置２００が装備しているシートカセットの合計の数と一致するか判断し、一致しない場合はＮに１を加算してＳ６０３から処理を繰り返す。そしてＣＰＵ２０１はＳ６０５で肯定判定が行われ、画像形成装置２００に装備されている全てのシートカセットのシートの状態を取得するとこのフローを終了させ、再びＳ６０１からの処理を繰り返す。
【００８１】
以上のような処理において、例えば、シート交換前の各シートの状態が図３のとおりであった場合、シートの交換により以下のように表示画面は遷移する。ここでは３０２〜３０３で示されるシートのシート情報は同一であるとする。
【００８２】
ここで、３０３で示されるシートの交換作業が開始されるとＳ４０２において、３０３の「２番目」が「？」に、シート残量は非表示に、「待機中」が「交換中」にそれぞれ変更される。そしてＳ４０８で否定判断がなされた場合はシート交換前の表示となる（「？」が「２番目」に、「交換中」が「待機中」に変更される）。ただし、シート残量はセットされたシートの残量に応じたものとする。また、Ｓ４１０に進んだ場合は、３０３で示されるシートの状態を「？」から非表示に、シート残量はセットされたシートに応じたものとし、「交換中」から「不使用」に変更する。そして、３０２で示されるシートの状態の「３番目」を「２番目」に変更する。また、Ｓ４１１に進んだ場合は、３０３で示されるシートの状態は「不明」のみの表示に変更する。そして、３０２で示されるシートの状態の「３番目」を「２番目」に変更する。
【００８３】
また、以上の処理において、ＣＰＵ２０１は印刷ジョブで使用可能なシートがいずれのシートカセットにもセットされていないと判断した場合、エラー情報とともに必要なシートの情報を操作部２０６に表示させる。また、ＣＰＵ２０１は印刷ジョブで使用可能なシートがいずれかのシートカセットにセットされていても印刷ジョブの実行によりシートが不足することが推定される場合その旨をユーザに通知する。即ち、ＣＰＵ２０１は各印刷ジョブの内容と各シートの残量とからシートが足りるか判断し、シートが不足する場合、その旨をそのシート情報とともに操作部２０６に表示させるようにする。
【００８４】
以上のように複数のシートの使用順を決定し、その結果を操作部２０６に表示させることにより、ユーザは使用予定のシートについての種々の情報を確認でき、それに応じた作業が可能となる。従って、すぐに使用する予定であったシートがセットされているシートカセットのシートマガジンのドアを開けて交換作業に入ってしまうなどの不都合を防止することができる。また、シートの不足により印刷処理が停止してしまう前にシートの交換を行わせることが可能である。なお、以上のように操作部２０６に表示させた情報は、外部Ｉ／Ｆ２０５を介してホスト装置２１１に送信し、ホスト情報２１１の表示装置によって表示させてもよい。
【００８５】
また、以上の説明において各印刷ジョブで指定されているシートの情報とは一致しないシート（大きいサイズ（シート幅）のシート）を用いることを許可する場合、シートの使用順位は以下の条件に従う。印刷ジョブで指定されているシートの情報と一致するものが最も優先順位が高く、以下、より余白が小さくなるもの（印刷ジョブで指定されている幅との差分が小さいもの）から余白が大きくなるものの順となる。このときも同じサイズのシート同士ではより残量の少ないものが優先される。ただし、既に使用中のシートを継続して用いた方が効率的であることを理由に、後続の印刷ジョブで指定されているシートの情報と同一のシートが他のシートカセットにセットされていても使用中のシートを優先させるようにしてもよい。これにより、使用中のシートの切断及びカセットへのシートの引き戻しなどの処理を省略でき、より効率的となる。使用中のシートを優先させるか否かは操作部２０６からの指示でＲＡＭ２０３等に登録しておき、ＣＰＵ２０１は当該シートを優先させると登録されている場合に、これに従って使用順を判断する。
【００８６】
また、以上の説明ではシートとしてロールシート等の連続シートを用いる例について説明したが、予め所定のサイズにカットされたカットシートを用いて印刷を行うものについても適用可能である。即ち、シートカセットとしてカットシートを収納するものを複数設け、各シートカセットのシートのサイズや残量を判断し、上述のロールシートの場合と同様に各シートカセットの使用順序を決定し、その結果を操作部２０６等に表示させる。これにより、シートの補給時期をユーザが容易に判断することができる。また、連続シート用のシートカセットとカットシート用のシートカセットとを装備し、いずれかを選択して画像の印刷を行うものにも適用可能である。また、シートの使用順序を決定する際、シートの交換時期が重ならない、またより印刷が効率的に行える（高速に行える）シートや余白の少なくなるシートを優先的に使用するなどの条件を考慮することが好ましい。しかし、例えばユーザの好みなどにより、以上述べたような条件に他の条件をさらに加えたり、一部を差し替えたりするようにしてもよい。
【００８７】
以上説明したように本実施形態によれば、後続の複数の印刷ジョブで使用可能なシートを判断し、シートの使用順序を決定し、その結果を使用予定があるかどうかとともにユーザに提示する。これによりユーザはシートの交換や装填を適切なタイミングで行うことができる。また、複数のシートカセットのシート交換時期をずらすことによりシートの交換等に伴う印刷停止時間を削減することができる。また複数の印刷ジョブの印刷時間をできるだけ短くしたり、シートの無駄な使用を減らしたりするようにシートの使用順を決定することができる。
【００８８】
なお、以上の説明において、印刷を行う部分を除いた、印刷順序のスケジューリング、シートの使用順等の処理をホスト装置や外付けコントローラなどの外部装置で実現し、それに従って画像形成装置に印刷を実行させるようにしてもよい。その際、外部装置は画像形成装置からステータス（現在の印刷状況、シートカセット等の情報）を取得してシートの使用順序や各ページの印刷順序を決定することになる。この場合、外部装置が印刷制御装置として機能することになる。
【００８９】
また、本発明は、以下の処理を実行することによっても実現される。即ち、上述した実施例の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。また、プログラムは、１つのコンピュータで実行させても、複数のコンピュータが連動して実行するようにしてもよい。また、上記した処理の全てをソフトウェアで実現する必要はなく、一部または全部をハードウェアによって実現するようにしてもよい。
【００９０】
また、本発明は上記実施形態に限定されるものではなく、本発明の趣旨に基づき種々の変形（他の実施形態への応用、他の実施形態との組合せ等を含む）も可能である。
【図１】
0005818446.tif 000002
【図２】
0005818446.tif 000003
【図３】
0005818446.tif 000004
【図４】
0005818446.tif 000005
【図５】
0005818446.tif 000006
【図６】
0005818446.tif 000007